(57)【要約】【課題】  ベッドに対する取外し作業，取付け作業を容易にする。ベッドの周囲を人が歩いて一部が多少捲上がってもボトム部が露出しないようにする。ベッドからの一部の脱落を完全に防止する。【解決手段】  ベッドＢのボトム部Ｂａとマット部Ｂｂとの間に差込み支持されてボトム部Ｂａの側面を覆うものである。ベッドＢの足下側に取付けられるセンタ片１と、ベッドＢの横側に取付けられる両サイド片２とを備えている。センタ片１の両端部にはサイド片２のベッドＢのボトム部Ｂａを覆う部分の一部に重ねられる重複片１５が設けられている。【選択図】図１
0003149354.tif 000002
【実用新案登録請求の範囲】
【請求項１】
ベッドのボトム部とマット部との間に差込み支持されてボトム部の側面を覆うものであって、ベッドの足下側に取付けられるセンタ片と、ベッドの横側に取付けられる両サイド片とを備えたベッドスカートにおいて、センタ片の両端部または両サイド片のセンタ片側に位置する一端部にはセンタ片またはサイド片のベッドのボトム部を覆う部分の一部に重ねられる重複片が設けられていることを特徴とするベッドスカート。
【請求項２】
請求項１のベッドスカートにおいて、センタ片またはサイド片はベッドのボトム部を覆う部分が折返された折返部を介して重複部が設けられていることを特徴とするベッドスカート。
【請求項３】
請求項１または２のベッドスカートにおいて、センタ片とサイド片とはベッドのボトム部，マット部の間に差込まれる部分に板材を抜差し可能な袋部が設けられていることを特徴とするベッドスカート。
【考案の詳細な説明】
【技術分野】
【０００１】  本考案は、ベッドのボトム部（ボックススプリング部）とマット部との間に差込み支持されてボトム部の側面を覆うベッドスカートに係る技術分野に属する。
【背景技術】
【０００２】  最近、ベッドの装飾性を高めるとともにシーツで包まれることのないベッドのボトム部の汚損を防止するために、一部がベッドのボトム部，マット部の間の縁辺沿いに差込まれて他部が折曲がってボトム部の側面に垂下がる布片からなるベッドスカートがベッドに取付けられるようになってきている。ベッドスカートは、洗濯のために頻繁に取外し，取付けが実施されることから、ベッドに対する取外し作業，取付け作業が容易であることが望まれる。【０００３】  従来、ベッドに対する取外し作業，取付け作業を容易化することを指向したベッドスカートとしては、例えば、特許文献１に記載のものが知られている。【０００４】  前述の従来のベッドスカートは、ベッドの足下側に取付けられる１面の平布片形のセンタ片と、ベッドの横側に取付けられる１面の平布片形の両サイド片と、ベッドの足下側，横側の角部に取付けられる３面の角布片形の両コーナ片とからなる。【０００５】  前述の従来のベッドスカートでは、センタ片，両サイド片，両コーナ片の５パーツの構成とすることで、ベッドの横側から足下側まで連続して回込むように取外し，取付ける煩わしさが消失されて、ベッドに対する取外し作業，取付け作業が容易化される。なお、コーナ片は、センタ片，サイド片の突合わせ部分に位置して、ベッドの周囲を人が歩いてセンタ片，サイド片が多少捲上がってもボトム部が露出することがないようにして、ベッドスカートの装飾性を維持する機能も奏する。
【特許文献１】米国特許公開２００３／２８９６５号
【考案の開示】
【考案が解決しようとする課題】
【０００６】  前述の従来のベッドスカートでは、コーナ片が小型であることから、ベッドのボトム部，マット部の間への差込み支持面積が小さくなってしまうため、コーナ片が脱落しやすいという問題点がある。【０００７】  本考案は、このような問題点を考慮してなされたもので、ベッドに対する取外し作業，取付け作業が容易で、ベッドの周囲を人が歩いて一部が多少捲上がってもボトム部が露出することがなく、しかもベッドからの一部の脱落が完全に防止されるベッドスカートを提供することを課題とする。
【課題を解決するための手段】
【０００８】  前述の課題を解決するため、本考案に係るベッドスカートは、実用新案登録請求の範囲の各請求項に記載の手段を採用する。【０００９】  即ち、請求項１では、ベッドのボトム部とマット部との間に差込み支持されてボトム部の側面を覆うものであって、ベッドの足下側に取付けられるセンタ片と、ベッドの横側に取付けられる両サイド片とを備えたベッドスカートにおいて、センタ片の両端部または両サイド片のセンタ片側に位置する一端部にはセンタ片またはサイド片のベッドのボトム部を覆う部分の一部に重ねられる重複片が設けられていることを特徴とする。【００１０】  この手段では、センタ片，両サイド片の３パーツの構成とすることで、ベッドの横側から足下側まで連続して回込むように取外し，取付ける煩わしさが消失される。また、センタ片，サイド片の突合わせ部分に重複片が設けられることで、センタ片，サイド片が突合わせ部分で重合わされる。重複片がセンタ片またはサイド片に設けられることで、ベッドのボトム部，マット部の間への差込み支持されるセンタ片またはサイド片によって支持される。【００１１】  また、請求項２では、請求項１のベッドスカートにおいて、センタ片またはサイド片はベッドのボトム部を覆う部分が折返された折返部を介して重複部が設けられていることを特徴とする。【００１２】  この手段では、重複部が折返部を介してセンタ片またはサイド片に設けられることで、重複部に可動性が備えられる。【００１３】  また、請求項３では、請求項１または２のベッドスカートにおいて、センタ片とサイド片とはベッドのボトム部，マット部の間に差込まれる部分に板材を抜差し可能な袋部が設けられていることを特徴とする。【００１４】  この手段では、袋部に板材を差込むことで、センタ片，サイド片のベッドのボトム部，マット部の間に差込まれる部分に伸展性が備えられる。
【考案の効果】
【００１５】  本考案に係るベッドスカートは、センタ片，両サイド片の３パーツの構成とすることで、ベッドの横側から足下側まで連続して回込むように取外し，取付ける煩わしさが消失されるため、ベッドに対する取外し作業，取付け作業が容易となる効果がある。また、センタ片，サイド片の突合わせ部分に重複片が設けられることで、センタ片，サイド片が突合わせ部分で重合わされるため、ベッドの周囲を人が歩いて一部が多少捲上がってもボトム部が露出することがなくなる効果がある。また、重複片がセンタ片またはサイド片に設けられることで、ベッドのボトム部，マット部の間への差込み支持されるセンタ片またはサイド片によって支持されるため、ベッドからの一部の脱落が完全に防止される効果がある。【００１６】  さらに、請求項２として、重複部が折返部を介してセンタ片またはサイド片に設けられることで、重複部に可動性が備えられるため、ベッドに対する取外し作業，取付け作業がより容易となる効果がある。【００１７】  さらに、請求項３として、袋部に板材を差込むことで、センタ片，サイド片のベッドのボトム部，マット部の間に差込まれる部分に伸展性が備えられるため、ベッドのボトム部，マット部の間への差込み引抜きが容易となってベッドに対する取外し作業，取付け作業がより容易となり、センタ片，サイド片のベッドのボトム部，マット部の間へ差込まれる部分に適度の抵抗をもたせてベットからの抜止め確実に防止することができ、センタ片，サイド片のベッドのボトム部を覆う部分に無用の皺寄せが形成されるのを防止して美観を向上させることができる効果がある。
【考案を実施するための最良の形態】
【００１８】  以下、本考案に係るベッドスカートを実施するための最良の形態を図面に基づいて説明する。【００１９】  この形態は、図１に示すように、センタ片１，サイド片２で構成されている。【００２０】  センタ片１は、ベッドＢのボトム部Ｂａとマット部Ｂｂとの間に差込まれる差込部分１１と、ベッドＢのボトム部Ｂａを覆う垂下部分１２とが連続したもので、ベッドＢの幅に相当する長さの横長の長方形の洗濯可能な布片からなる。差込部分１１には、図６に詳細に示されるように、ベッドＢのボトム部Ｂａ側の面に可撓性のある薄性の合成樹脂板等からなる板材３を抜差し可能な袋部１３が設けられている。垂下部分１２には、ほぼ中央の位置に装飾性高めるための縦方向に延びるプリーツ部１４が設けられている。差込部分１１，垂下部分１２の長さ方向の両端部には、重複部１５が設けられている。重複部１５は、図１の拡大部分と図５とに詳細に示されるように、縦長の長方形に形成されてサイド片２の後述の垂下部分２２の一部が重ねられるもので、上部１５ａが差込部分１１の端部に連続されまたは縫着され、側部１５ｂが垂下部分１２の端部を折返して折り畳んだ格好の折返部１６を介して垂下部分１２に連続されている。なお、折返部１６の上部は、差込部分１１または垂下部分１２に縫着されている。【００２１】  サイド片２は、ベッドＢのボトム部Ｂａとマット部Ｂｂとの間に差込まれる差込部分２１と、ベッドＢのボトム部Ｂａを覆う垂下部分２２とが連続したもので、ベッドＢの長さに相当する長さの横長の長方形の洗濯可能な布片からなる。差込部分２１には、図６に詳細に示されるように、ベッドＢのボトム部Ｂａ側の面に可撓性のある薄性の合成樹脂板等からなる板材３を抜差し可能な袋部２３が設けられている。垂下部分２２には、ほぼ中央の位置に装飾性高めるための縦方向に延びるプリーツ部２４が設けられている。このサイド片２は、２枚がセットされる。【００２２】  この形態の取付け作業では、まず、図２に示すように、センタ片１をベッドＢの足下側に取付ける。実際の作業では、図２のベッドＢのマット部Ｂｂが取外された状態ではなく、ベッドＢのボトム部Ｂａの上にマット部Ｂｂが載せられた状態でボトム部Ｂａ，マット部Ｂｂの間にセンタ片１の差込部分１１を差込むことになる。このとき、センタ片１の袋部１３に板材３を差込んでおくと差込部分１１に平面的に延びるように付勢された伸展性を備えることができ、差込部分１１のベッドＢのボトム部Ｂａ，マット部Ｂｂの間への差込みが容易になる。また、ベッドＢのボトム部Ｂａ，マット部Ｂｂの間への差込まれたセンタ片１の差込部分１１は、備えられた伸展性によって適度の抵抗を形成することで確実に抜止めされる。センタ片１の差込部分１１をベッドＢのボトム部Ｂａ，マット部Ｂｂの間へ差込んだ後には、センタ片１の重複部１５をベッドＢのボトム部Ｂａの側面に当接させる。このとき、センタ片１の重複部１５に折返部１６によって少しの移動が許容される可動性が備えられているため、センタ片１の他部分やベッドＢのボトム部Ｂａに無用の力を掛けることがなくなって、重複部１５のベッドＢのボトム部Ｂａの側面への当接が容易になる。この結果、センタ片１の垂下部分１２��ベッドＢのボトム部Ｂａの側面に垂下がって覆うことになる。【００２３】  センタ片１がベッドＢに取付けられた状態では、差込部分１１に備えられた伸展性によって垂下部分１２に皺寄せが生ずるのを防止する。従って、センタ片１の垂下部分１２が皺のない美麗な状態に維持される。【００２４】  次ぎに、図３に示すように、サイド片２をベッドＢの横側に取付ける。実際の作業では、図３のベッドＢのマット部Ｂｂが取外された状態ではなく、ベッドＢのボトム部Ｂａの上にマット部Ｂｂが載せられた状態でボトム部Ｂａ，マット部Ｂｂの間にサイド片２の差込部分２１を差込むことになる。このとき、サイド片２の袋部２３に板材３を差込んでおくと差込部分２１に平面的に延びるように付勢された伸展性を備えることができ、差込部分２１のベッドＢのボトム部Ｂａ，マット部Ｂｂの間への差込みが容易になる。また、ベッドＢのボトム部Ｂａ，マット部Ｂｂの間への差込まれたサイド片２の差込部分２１は、備えられた伸展性によって適度の抵抗を形成することで確実に抜止めされる。【００２５】  サイド片２がベッドＢに取付けられた状態では、差込部分２１に備えられた伸展性によって垂下部分２２に皺寄せが生ずるのを防止する。従って、サイド片２の垂下部分２２が皺のない美麗な状態に維持される。【００２６】  図２，図３に示すような取付け作業では、ベッドＢの横側から足下側まで連続して回込むように取付ける煩わしさが消失されるため、ベッドＢに対する取付け作業が容易となる。なお、取外し作業についても前述の取付け作業の作業の逆を実行するだけであるため、ベッドＢに対する取外し作業が容易である。特に、センタ片１の差込部分１１やサイド片２の差込部分２１への板材３による伸展性の付与は、センタ片１の差込部分１１やサイド片２の差込部分２１のベッドＢのボトム部Ｂａ，マット部Ｂｂの間からの引抜きを容易にする。【００２７】  図４に示すような取付が完了した状態では、ベッドＢの周囲を人が歩いてセンタ片１の垂下部分１２やサイド片２の垂下部分２２が多少捲上がっても、センタ片１の差込部分１１とサイド片２の差込部分２１との突合わせ部分にセンタ片１の重複片１５が位置されているため、ベッドＢのボトム部Ｂｂが露出することはない。従って、装飾性が維持される。そして、前述の従来のベッドスカートのコーナ片に相当するセンタ片１の重複片１５が独立せずベッドＢのボトム部Ｂａ，マット部Ｂｂの間への差込み支持されるセンタ片１に連続されて支持されるため、ベッドＢからの脱落が完全に防止される。【００２８】  以上、図示した各例の外に、センタ片１の重複片１５，折返部１６をサイド片２側に構成することも可能である。
【図面の簡単な説明】
【００２９】
【図１】  本考案に係るベッドスカートを実施するための最良の形態の斜視図（一部拡大を含む）である。
【図２】  図１の一部の取付け状態図である。
【図３】  図１の全部の取付け状態図である。
【図４】  図３の状態におけるベッド全体の斜視図である。
【図５】  図３の要部の拡大横断面図である。
【図６】  図３の他の要部の拡大縦断面図である。
【符号の説明】
【００３０】  １            センタ片
１３          袋部
１５          重複部
１６          折返部
２            サイド片
２３          袋部
３            板材
Ｂ            ベッド
Ｂａ          ボトム部
Ｂｂ          マット部
【図１】
0003149354.tif 000003
【図２】
0003149354.tif 000004
【図３】
0003149354.tif 000005
【図４】
0003149354.tif 000006
【図５】
0003149354.tif 000007
【図６】
0003149354.tif 000008